(57)【特許請求の範囲】
【請求項１】
エアー取り入れ口を備えたエアー取り入れダクト部と、
前記エアー取り入れダクト部の後端に直角に接続されたエアー案内ダクト部と、
前記エアー案内ダクト部の他端部に接続され、エアー吹き出し口を備えたエアー吹き出しダクト部とから構成されたエアーダクト装置と、
前記エアー吹き出し口に取り付けられた送風ファンとから構成された送風装置において、
前記エアー吹き出し口は前記エアー吹き出しダクト部の前面に設け、
前記エアー案内ダクト部のエアー流路の断面積を前記エアー吹き出しダクト部のエアー流路の断面積よりも狭くすることによりエアー吹き出しダクト部にエアー溜りを形成するとともに、
前記送風ファンのエアー案内ダクト部側に送風ファンの高さより高く、前記エアー吹き出しダクト部の奥行きよりも低いフィンを取り付け、
前記案内ダクト部からの風の流れを前記フィンに当てて垂直方向の風の流れに変化させると共に水平方向の風の流れの速度を遅くし、
エアー溜りに導くようにしたことを特徴とする送風装置。
【請求項２】
フィンが板状である請求項１記載の送風装置。
【請求項３】
フィンが円弧状である請求項１記載の送風装置。
【請求項４】
光源からの光をライトバルブ表示装置に照射し、前記ライトバルブ表示装置の透過光を投射レンズによりスクリーン上に投射して映像を表示するに当たり、前記ライトバルブ表示装置などの光学部品を冷却するための送風装置を備えたプロジェクタ装置において、
前記送風装置は、
エアー取り入れ口を備えたエアー取り入れダクト部と、
前記エアー取り入れダクト部の後端に直角に接続されたエアー案内ダクト部と、
前記エアー案内ダクト部の端部にに接続され、エアー吹き出し口を備えたエアー吹き出しダクト部とから構成されたエアーダクト装置と、
前記エアー吹き出し口に取り付けられた送風ファンとから構成されており、
前記エアー吹き出し口は前記エアー吹き出しダクト部の前面に設け、
前記エアー案内ダクト部のエアー流路の断面積を前記エアー吹き出しダクト部の流路の断面積よりも狭くすることによりエアー吹き出しダクト部にエアー溜りを形成するとともに、
前記送風ファンのエアー案内ダクト部側に送風ファンの高さより高く、前記エアー吹き出しダクト部の奥行きよりも低いフィンを取り付け、
前記送風ファンは前記ライトバルブ表示装置の裏面に配設されていることを特徴とする送風装置を備えたプロジェクタ装置。
【請求項５】
フィンが板状である請求項４記載の送風装置。
【請求項６】
フィンが円弧状である請求項４記載の送風装置。
【発明の詳細な説明】
【０００１】
【発明の属する技術分野】
本発明は、光源を備えた光学装置、電子機器、機械器具などの構成部品を冷却し、或いは加温するために適した送風装置に関し、中でも液晶ライトバルブ表示板、陰極線管などのライトバルブ表示装置を備えたプロジェクタ装置に適用することにより、少なくともそのライトバルブ表示装置で発生する熱を効率よく冷却するために好適な送風装置及びこれを備えたプロジェクタ装置に関するものである。
【０００２】
【従来の技術】
現在、製造、販売されている大半のプロジェクタ装置は、ランプなどの光源からの光によりライトバルブ表示装置の一つである液晶ライトバルブ表示板を照射し、その液晶ライトバルブ表示板を透過した透過光を投射レンズによりスクリーン上に投射して映像を表示できる、所謂、液晶プロジェクタ装置である。このような液晶プロジェクタ装置は、光源の熱により光学ユニットに内蔵されている液晶ライトバルブ表示板やその周辺に存在する偏光板などの各種の光学部品が高温になるのを防止するため、これらを冷却するための送風装置を具備している。
【０００３】
その一例の液晶プロジェクタ装置及びこれに付属されている送風装置を図３乃至図１０を用いて説明する。図３は従来技術の液晶プロジェクタ装置を略線的に表した正面図、図４は図３に示した液晶プロジェクタ装置のＡ−Ａ線上における一部断面図、図５は図３に示した液晶プロジェクタ装置に内蔵されている光学ユニットを略線的に表した斜視図、図６は図５に示した光学ユニットの上蓋を開いて略線的に表した平面図、図７は図４に示した液晶プロジェクタ装置の光学ユニットと送風装置との配置関係を略線的に示した断面側面図、図８は図５に示した光学ユニットを収納した光学ユニットケースの裏面を示す一部斜視図、図９は従来技術の一つの送風装置の正面斜視図、図１０は図９に示したエアーダクト装置のＢ−Ｂ線上における断面側面図、そして図１１は図９に示したエアーダクト装置を光学ユニットに装着した状態の図９におけるＡ−Ａ線上における断面側面図である。
【０００４】
図３及び図４において、符号１は従来技術の液晶プロジェクタ装置を指す。この液晶プロジェクタ装置１は外筐２内にランプからなる光源３、反射ミラー４、スクリーン５、光学ユニット１０、送風装置２０などが内蔵されている。前記筐体２の下方部分は直方体で、その上方部分は背面が傾斜面に形成されている、ほぼ角錐体で構成されており、その下方部分の内部中央部には前記光学ユニット１０が、その一方の側（図３においては右側）に前記光源３が、他方の側（図３においては左側）に前記送風装置２０が配設され、前記外筐２の上方部分の前記傾斜背面の内面には前記反射ミラー４が、そしてその正面開口部に前記スクリーン５が配設されている（図３、図４）。筐体２の下方部分の正面（前面）には、図９乃至図１１を用いて後記するように、前記送風装置２０の一構成要素であるエアーダクト装置２４のエアー取り入れダクト部２４０２のエアー取り入れ口２４０１が配設されており、そしてその前方にはエアーフィルター２４０６が配設されている。そしてこの下方部分の正面全面は化粧カバー７で覆われている。図３には、その化粧カバー７を一部剥がした状態で示した。
【０００５】
前記光学ユニット１０は、図４に示したように、その光軸Ｌが前記反射ミラー４に向く方向にシャシー６の傾斜面に取り付けられて、外筐２内に固定されている。図５及び図６に光学ユニット１０の一例を示したように、この光学ユニット１０は後記する各種の光学部品が光学ユニットケース（以下、単に「ケース」と略記する）１１の内部に収納され、その上面は蓋１２で覆われている。その蓋１２の一部上面には駆動回路基板１３が配設されている。この光学ユニット１０と前記エアーダクト装置２４のエアー取り入れ口２４０１と前記光源３とは一枚の基板８上に所定の間隔を開けて取り付けられている。前記光源３としては、例えば、メタルハライドランプが好ましい。前記エアー取り入れ口２４０１を取り付ける前記基板８には、図６に示したように、エアー取り入れ口２４０１の形状に合った孔１４が開けられている。
【０００６】
前記光学ユニット１０は、図６に示したように、中央部に合成プリズム１５０１を中心に、その四方にカラー映像信号の赤色用液晶ライトバルブ表示板（以下、単に「赤色用表示板」と略記する）１５０２Ｒ、緑色用液晶ライトバルブ表示板１５０２Ｇ（以下、単に「緑色用表示板」と略記する）１５０２Ｇ、青色用液晶ライトバルブ表示板（以下、単に「青色用表示板」と略記する）１５０２Ｂからなる３板式の液晶ライトバルブ表示板１５０２が、そして投射レンズ１５０３が配設されている。前記投射レンズ１５０３の先端部は前記ケース１１から露出している。前記赤色用表示板１５０２Ｒは光源３側に、前記緑色用表示板１５０２Ｇは合成プリズム１５０１及び投射レンズ１５０３の光軸と一致させた状態で投射レンズ１５０３とは反対側に、前記青色用表示板１５０２Ｂは前記合成プリズム１５０１及び前記赤色用表示板１５０２Ｒの光軸と一致させた状態で赤色用表示板１５０２Ｒとは反対側に配設されている。また、前記各赤色用表示板１５０２Ｒ、緑色用表示板１５０２Ｇ、青色用表示板１５０２Ｂの前方には、それぞれ集光レンズ１５０４と偏光板１５０５とが配設されている。
【０００７】
前記緑色用表示板１５０２Ｇ、偏光板１５０５、集光レンズ１５０４の群の後方には、この群と前記合成プリズム１５０１と投射レンズ１５０３との光軸に対して直角な光軸に光学路が設けられている。即ち、この光学路は、ケース１１内に光源３側から、順次、紫外線（ＵＶ）、赤外線（ＩＲ）カットフィルタ（以下、「ＵＶ、ＩＲカットフィルタ」と略記する）１５０６、偏光変換素子１５０７、レンズアレイ１５０８Ａ、１５０８Ｂ、第１ダイクロイックミラー１５０９、第２ダイクロイックミラー１５１０、リレーレンズ１５１１、そして反射ミラー１５１２が配設されて構成されている。そして前方に第１ダイクロイックミラー１５０９の反射光学路には、第１ダイクロイックミラー１５０９に対向して反射ミラー１５１３が前記赤色用表示板１５０２Ｒ、集光レンズ１５０４、偏光板１５０５からなる群の光軸上に配設されており、また、前記反射ミラー１５１２の反射ミラー１５１２の反射光学路には、その反射ミラー１５１２に対向してリレーレンズ１５１４及び反射ミラー１５１５が前記青色用表示板１５０２Ｂ、集光レンズ１５０４、偏光板１５０５からなる群の光軸上に配設されている。なお、前記第２ダイクロイックミラー１５１０は、その反射光路の光軸が前記緑色用表示板１５０２Ｇ、偏光板１５０５、集光レンズ１５０４の群の光軸に一致するように配設されていることはいうまでもない。
【０００８】
なお、前面各液晶表示板１５０２は、図７に示したように、その両面からシールドガラス１５１６でシールドされている。また、前記偏光変換素子１５０７は、偏光変換素子でＰ波、Ｓ波の分離を行い、従来捨てていたＳ波を波長板で９０度回転させてＰ波に戻し、照明光として活用できる機能を備えている光学部品である。
【０００９】
次に、前記構成の光学ユニット１０の動作を説明する。光源３で形成された照明光は、ＵＶ、ＩＲカットフィルタ１５０６、偏光変換素子１５０７、レンズアレイ１５０８Ａ、１５０８Ｂを通過し、赤色を反射する第１ダイクロイックミラー１５０９に入射する。第１ダイクロイックミラー１５０９で色分離された赤色の照明光Ｒは反射ミラー１５１３で反射され、集光レンズ１５０４、偏光板１５０５を通過し、駆動回路基板１３の駆動回路から供給される赤色の映像信号に基づいて駆動する赤色用表示板１５０２Ｒを透過する。
【００１０】
また、前記第１ダイクロイックミラー１５０９を透過した緑色の照明光Ｇ及び赤色の照明光Ｒは、第２ダイクロイックミラー１５１０に入射して緑色が反射される。分離された緑色の照明光Ｇは、集光レンズ１５０４、偏光板１５０５を通過し、駆動回路基板１３の駆動回路から供給される緑色の映像信号に基づいて駆動する緑色用表示板１５０２Ｇを透過する。
【００１１】
更にまた、前記第２ダイクロイックミラー１５１０を透過した青色の照明光Ｂは、リレーレンズ１５１１、反射ミラー１５１２、リレーレンズ１５１４及び反射ミラー１５１５を経て、集光レンズ１５０４、偏光板１５０５を通過し、駆動回路基板１３の駆動回路から供給される青色の映像信号に基づいて駆動する青色用表示板１５０２Ｂを透過する。
【００１２】
赤色用表示板１５０２Ｒ、緑色用表示板１５０２Ｇ及び青色用表示板１５０２Ｂをそれぞれ透過した光は合成プリズム１５０１で合成され、投射レンズ１５０３によって拡大され、そしてスクリーン５上へ投射される。かくして、液晶プロジェクタ装置１により所望の映像をスクリーン５上に映出することができる。
【００１３】
しかし、前記液晶プロジェクタ装置１において、光源３からの光により各液晶表示板１５０２やそれぞれの前方に存在する偏光板１５０５が高温になり、放置しておくと各液晶表示板１５０２では色ずれを起こしたり、また偏光板１５０５においては、偏光機能が低下するなどの好ましくない現象が生じる。このため、前記液晶プロジェクタ装置１においては、図４及び図７に示したように、前記光学ユニット１０の裏面に、特に３組の液晶表示板１５０２と偏光板１５０５とが存在する光学ユニット１０の裏面に前記送風装置２０が配設されている。
【００１４】
この送風装置２０は、図８に示したような、ケース１１の裏面に一体的に形成されている、比較的低い高さの外周を仕切るリブ２１及びそのリブ２１内を仕切る仕切り板２２Ａ、２２Ｂと、送風ファン２３と、図９に示したような、この送風装置２０にエアーを導入するためのエアーダクト装置２４とから構成されている。前記リブ２１及び仕切り板２２Ａ、２２Ｂで形成された部屋のケース１１の底面及びこれらに対応する部分の基板８に、赤色用表示板１５０２Ｒなどを冷却するエアーを吹き出すためのエアー吹き出し口１６Ｒ、緑色用表示板１５０２Ｇなどを冷却するエアーを吹き出すためのエアー吹き出し口１６Ｇ及び青色用表示板１５０２Ｂなどを冷却するエアーを吹き出すためのエアー吹き出し口１６Ｂが開けられている。このエアー吹き出し口１６Ｂが開けられている部屋の面積は、高温になり易い青色用表示板１５０２Ｂに多くの風量を取り入れることができるように、他のものよりも広く仕切られている。前記送風ファン２３はフレーム２３０１の中心部に回転軸２３０２が在る回転羽根２３０３を備え、比較的偏平に構成されている。
【００１５】
また、前記エアーダクト装置２４は、図９及び図１０に示したように、比較的狭い開口のエアー取り入れ口２４０１が開けられたエアー取り入れダクト部２４０２とエアー案内ダクト部２４０３とエアー吹き出し口２４０４が開けられたエアー吹き出しダクト部２４０５とから構成されている。エアー取り入れダクト部２４０２は縦長直方体に形成されており、図３に示したように、そのエアー取り入れ口２４０１は前記筐体２の下部の前面に臨んでおり、その開口全面は、例えば、細かいメッシュ状のエアーフィルター２４０６で覆われていて、外部から塵埃、虫などの侵入を防止している。エアー案内ダクト部２４０３はエアー取り入れダクト部２４０２の後端に、これとほぼ直角に接続され、そして筐体２内で光学ユニット１０の後方に回って延在し、そしてこのエアー案内ダクト部２４０３の他端にエアー吹き出しダクト部２４０５が接続されている。そのエアー吹き出し口２４０４には前記送風ファン２３が装着される。その送風ファン２３が装着されたエアー吹き出し口２５０４は、図１１に示したように、シャシー６に約４５度の角度で取り付けられている光学ユニット１０の前記液晶表示板１５０２、偏光板１５０５などが配設されている裏面に合致するように、シャシー６の内側に取り付けられている。
【００１６】
なお、前記エアー取り入れダクト部２４０２のエアー取り入れ口２４０１を筐体２の前面に配設した理由は、障害物が存在することがなく、エアーフィルター２４０６の点検、掃除、交換などの保守がし易いからであって、もしこのような条件が満たされれば、筐体２の側面または背面に配設してもよい。
【００１７】
以上説明した構成の送風装置２０により液晶プロジェクタ装置１の光学ユニット１０を冷却する。即ち、電源を入れ、送風ファン２３が始動すると、エアーフィルター２４０６で塵埃などが除去された外気は前記エアー取り入れダクト部２４０２のエアー取り入れ口２４０１から吸引され、吸引された外気をエアー案内ダクト部２４０３、エアー吹き出しダクト部２４０５を通じ、エアー吹き出し口２４０４及び各エアー吹き出し口１６Ｒ、１６Ｇ、１６Ｂから光学ユニット１０の下方へ導かれ、送風ファン２３により各液晶表示板１５０２へと送られて、各液晶表示板１５０２及びその周辺の光学部品、例えば、偏光板１５０５、合成プリズム１５０１などを冷却する。熱せられた空気は光学ユニット１０の上方へと流され、筐体２内に排気される。
【００１８】
【発明が解決しようとする課題】
しかし、従来技術の前記液晶プロジェクタ装置１においては、エアー吹き出しダクト部２４０５の送風ファン２３背後のエアー溜まりの広さが十分でなく、また、エアー案内ダクト部２４０３のエアー流路の断面積とエアー吹き出しダクト部２４０５のエアー流路の断面積とが異なり、エアーの流れが速く、かつ送風ファン２３に対して水平方向であるため、エアーの整流が十分ではなく、また、前記両者の連結部分、この例では、それら両者の背面の連結部分に段差が形成されているため、エアー案内ダクト部２４０３を流れてきたエアーに負圧が生じて、この連結部分の直後に渦流が生じ、そのエアー吹き出しダクト部２４０５内のエアーの整流が不十分である。
【００１９】
しかも、図１１に示したように、送風ファン２３の回転羽根２３０３の回転軸Ｍに対してエアー吹き出しダクト部２４０５の軸線Ｄが一致した状態で取り付けられているため、図９及び図１０に大小の矢印で示したように、送風ファン２３へ流入する風が均一ではない。従って、送風ファン２３から光学ユニット１０への風の吹き出しは均一ではなく、しかも風の利用効率が非常に悪いため、液晶ライトバルブ表示板１５０２や偏光板１５０５などに、以下に記すような問題が生ずる。
【００２０】
１．各液晶表示板１５０２からの投射映像の輝度を上げるために、光源３のパワーアップや光学系の改良、例えば、偏光変換素子１５０７で光の利用効率を上げるなどで、各液晶表示板１５０２への光の照射量が増大すると、各液晶表示板１５０２やそれぞれの前方に存在する偏光板１５０５が高温になり、各液晶表示板１５０２では色ずれを起こし、また偏光板１５０５においては、偏光機能が低下し、正常な動作を行わすことができなくなる。特に短波長側の青色用表示板１５０２Ｂにおいては、光エネルギーの吸収率が大きく、高温になり易い。
２．液晶表示板１５０２、偏光板１５０５を高温環境で使用していると、寿命が短くなる。
３．冷却効果を高めるためには、風量が多く、かつ風速の速い送風ファンを用いればよいが、その送風ファンによって生じるノイズが大きくなり、商品価値が低下する。
４．送風ファンを大型化するとか、送風ファンの台数を増やせば、冷却効果を高めることができるが、この方策は液晶プロジェクタ装置が高価になり、また、装置を小型化できない。
【００２１】
これらの問題点は、液晶表示板の破壊、液晶表示板の交換等々、利用者の利便を損ねたり、液晶プロジェクタ装置のコストアップの要因の一つとなる。
【００２２】
本発明は、以上記したような諸問題を解決しようとするものであって、冷却或いは加温しようとする部品の背後に存在するファンから強い風を均一に送り出し、冷却或いは加温すべき構成部品を効果的に冷却できる機能を備えた送風装置及びこれを備えたプロジェクタ装置を得ることを目的とするものである。
【００２３】
【課題を解決するための手段】
前記課題を解決するために、第１の本発明の送風装置は、エアー取り入れ口を備えたエアー取り入れダクト部と、エアー案内ダクト部と、エアー吹き出し口とエアー溜まりとを備えたエアー吹き出しダクト部とから構成されたエアーダクト装置と、前記エアー吹き出し口に取り付けられた送風ファンとから構成された送風装置において、前記送風ファンのエアー案内ダクト部側の近傍の前記エアー溜まりに、送風ファンの高さより高く、前記エアー吹き出しダクト部の奥行きよりも低いフィンを取り付けて、前記課題を解決している。
【００２４】
また、第２の本発明のプロジェクタ装置は、光源からの光をライトバルブ表示装置に照射し、前記ライトバルブ表示装置の透過光を投射レンズによりスクリーン上に投射して映像を表示するに当たり、前記ライトバルブ表示装置などの光学部品を冷却するための送風装置を備えたプロジェクタ装置において、前記送風装置を、エアー取り入れ口を備えたエアー取り入れダクト部、エアー案内ダクト部、エアー吹き出し口とエアー溜まりとを備えたエアー吹き出しダクト部とから構成されたエアーダクト装置と、前記エアー吹き出し口に装着されている送風ファンと、前記送風ファンのエアー案内ダクト部側の近傍の前記エアー溜まりに取り付けられた、送風ファンの高さより高く、前記エアー吹き出しダクト部の奥行きよりも低いフィンとから構成し、その送風ファンを前記ライトバルブ表示装置の裏面に取り付けて、前記課題を解決している。
【００２５】
従って、本発明の送風装置によれば、吸引したエアーを整流状態でファンに送り込み、ファンから構成部品に風を均一に送風でき、その構成部品を効率よく冷却することができる。
【００２６】
【発明の実施の形態】
以下、本発明の送風装置の実施例を図を用いて説明する。なお、従来技術の送風装置の構成要素と同一の構成要素の部分には同一の符号を付して説明する。図１は本発明の第１実施例の送風装置を略線的に示していて、同図Ａはその正面図、同図Ｂは同図ＡのＡ−Ａ線上における断面図であり、そして図２は本発明の第２実施例の送風装置を略線的に示した正面図である。
【００２７】
図１において、符号３０Ａは本発明の第１実施例の送風装置を指す。この送風装置３０Ａは、送風ファン２３とエアーダクト装置２５Ａとから構成されている。この送風装置３０Ａも、図１１に示したように、シャシー６を介して前記光学ユニット１０の裏面に、特に３組の液晶表示板１５０２と偏光板１５０５とが存在する光学ユニット１０の裏面に取り付けられる。
【００２８】
前記エアーダクト装置２５Ａは、比較的狭い開口のエアー取り入れ口２５０１が開けられたエアー取り入れダクト部２５０２とエアー案内ダクト部２５０３とエアー吹き出し口２５０４が開けられたエアー吹き出しダクト部２５０５とから構成されていることは、従来技術のエアーダクト装置２４の構成と同様である。
【００２９】
エアー取り入れダクト部２５０２は縦長直方体に形成されており、そのエアー取り入れ口２５０１は前記筐体２の下部の前面に臨んでおり、その開口全面は、例えば、細かいメッシュ状のエアーフィルター２４０６で覆われていて、外部から塵埃、虫などの侵入を防止している。エアー案内ダクト部２５０３はエアー取り入れダクト部２５０２の後端に接続され、そして筐体２内で光学ユニット１０の後方に回って延在し、そしてこのエアー案内ダクト部２５０３の他端にエアー吹き出し口２５０４が開口しているエアー吹き出しダクト部２５０５が接続されている。そのエアー吹き出し口２５０４は前記送風ファン２３を内蔵できる大きさの開口であって、送風ファン２３が装着される。前記エアー取り入れダクト部２５０２及びエアー案内ダクト部２５０３のエアー流路の断面積はエアー吹き出しダクト部２５０５のエアー流路の断面積よりも狭くなるように構成されている。そのため吹き出しエアーダクト部２５０５にエアーが溜りが形成される。
【００３０】
本発明における第１実施例の送風装置３０Ａのエアーダクト装置２５Ａにおいては、円弧状フィン３１が前記送風ファン２３のエアー案内ダクト部側の側面近傍のエアー吹き出しダクト部２５０５の前記エアー溜まりに設けられている。この円弧状フィン３１は、図１Ａに示した実施例では、送風ファン２３のほぼ半円弧にわたる形状をしており、そして送風ファン２３の高さより高く、前記エアー吹き出しダクト部の奥行きよりも低い構造のものである（図１Ｂ）。
【００３１】
また、図２に示したように、本発明の第２実施例の送風装置３０Ｂのエアーダクト装置２５Ｂにおいては、送風ファン２３の少なくとも直径に相当する幅の平板状のフィン３２が前記送風ファン２３のエアー案内ダクト部２５０３側の側面近傍のエアー吹き出しダクト部２５０５の前記エアー溜まりに設けられている。図示していないが、この板状フィン３２も送風ファン２３の高さより高く、前記エアー吹き出しダクト部の奥行きよりも低い構造のものである。
【００３２】
以上説明したような構造の送風装置３０Ａ或いは３０Ｂを、その送風ファン２３が図２に示したように、シャシー６の約４５度の傾斜面に固定されている光学ユニット１０の前記ライトバルブ表示装置の裏面に装着されるように、その正面２５０６の傾斜面側をシャシー６の裏面に取り付け、固定する。
【００３３】
以上説明したような構造の送風装置３０は、送風ファン２３の始動すると、エアーフィルター２４０６で塵埃などが除去された外気が前記エアー取り入れダクト部２５０２のエアー取り入れ口２５０１から吸引され、吸引されたエアーはエアー案内ダクト部２５０３からエアー吹き出しダクト部２５０５を通じ、エアー吹き出し口２５０４から送風ファン２３へ送風される。
【００３４】
エアー取り入れダクト部２５０２及びエアー案内ダクト部２５０３のエアー流路が狭いため、これらの部分を流れる風は送風ファン２３に対して水平方向の流れが速いが、前記円弧状フィン３１或いは板状フィン３２に当たると、その水平方向の風の流れが垂直方向に変化し、かつ水平方向の流れの速度が遅くなる。このため送風ファン２３の背後のエアー溜まりの広さ、特に奥行きが十分でなくても風の流れが整流される。この結果、図１Ｂに矢印で示した風の流れのように、送風ファン２３全体に均一にエアーが取り込まれ、送風ファン２３からのエアーの吹き出しも全体に強い均一な風となる。
【００３５】
このような全体に強い均一な風は、図８に示したように、送風ファン２３から前記リブ２１及び仕切り板２２Ａ、２２Ｂで仕切られた空間内に効率よく送り出される。そしてそのエアーはエアー吹き出し口１６Ｒ、エアー吹き出し口１６Ｇ及びエアー吹き出し口１６Ｂからそれぞれ赤色用表示板１５０２Ｒなどの光学部品、緑色用表示板１５０２Ｇなどの光学部品及び青色用表示板１５０２Ｂなどの光学部品に対して吹き出され、それぞれの光学部品を冷却する。液晶表示板１５０２などの光学部品に熱せられたエアーは光学ユニット１０の上方へと流され、筐体２内に排気される。
【００３６】
なお、送風ファン２３の背部に形成されている前記リブ２１及び仕切り板２２Ａ、２２Ｂで仕切られた空間（図８）の代わりに、本発明者らが発明し、本出願人が同日付けで特許出願した「送風装置及びこれを備えたプロジェクタ装置」（整理番号９７０５８２３３）に開示した発明の「エアー整流装置３１」及び本発明者らが発明し、本出願人が同日付けで特許出願した「送風装置及びこれを備えたプロジェクタ装置」（整理番号９７０５８２３４）に開示した発明の「送風装置３０」を併用すれば、なお一層効果的に送風することができる。
【００３７】
前記実施例では、送風装置を３板式液晶プロジェクタ装置に取り付けて液晶ライトバルブ表示板などの光学部品を冷却する場合を示したが、本発明はこのような３板式液晶プロジェクタ装置にのみ限定されるものではなく、単板式液晶プロジェクタ装置などの他のプロジェクタ装置にも、更に冷却を必要とする部品を備えた光学装置、電子機器或いは機械装置にも応用でき、また逆に温度が下がると、構成部品が正常な動作を行わなくなる装置の前記構成部品に暖かい風を送風して加温する場合にも、本発明の送風装置を用いることができることを付言しておく。
【００３８】
【発明の効果】
以上の説明から明らかなように、本発明の送風装置によれば、吸い込んだエアーを整流でき、そしてその整流エアーをエアー吹き出し口２５０４から送風ファン２３全体に均一に送り出すことができる。従って、本発明の送風装置を組み込んだ本発明のプロジェクタ装置では、内蔵されているライトバルブ表示装置などの光学部品を効率よく冷却することができる。そして、送風ファンからの風を効率よく利用できるので、冷却ファンを低速運転でき、それだけ低騒音のプロジェクタ装置を提供することができる。更にまた、ライトバルブ表示装置、偏光板などが高温になるのを防止できるため、それらの寿命を延ばすことができる。
【図面の簡単な説明】
【図１】 本発明の第１実施例の送風装置を略線的に示していて、同図Ａはその正面図、同図Ｂは同図ＡのＡ−Ａ線上における断面図である。
【図２】 本発明の第２実施例の送風装置を略線的に示した正面図である。
【図３】 従来技術の液晶プロジェクタ装置を略線的に表した正面図である。
【図４】 図３に示した液晶プロジェクタ装置のＡ−Ａ線上における一部断面図である。
【図５】 図３に示した液晶プロジェクタ装置に内蔵されている光学ユニットを略線的に表した斜視図である。
【図６】 図５に示した光学ユニットの上蓋を開いて略線的に表した平面図である。
【図７】 図４に示した液晶プロジェクタ装置の光学ユニットと送風装置との配置関係を略線的に示した断面側面図である。
【図８】 図５に示した光学ユニットを収納した光学ユニットケースの裏面を示す一部斜視図である。
【図９】 従来技術の一つの送風装置の正面斜視図である。
【図１０】 図９に示したエアーダクト装置を光学ユニットに装着した状態の図９におけるＢ−Ｂ線上における断面側面図である。
【図１１】 図９に示したエアーダクト装置を光学ユニットに装着した状態の図９におけるＡ−Ａ線上における断面側面図である。
【符号の説明】
３…光源、４…反射ミラー、５…スクリーン、６…シャシー、８…基板、１０…光学ユニット、１１…ケース、１３…駆動回路基板、１５０１…合成プリズム、１５０２Ｒ…赤色用表示板（赤色用液晶ライトバルブ表示板）、１５０２Ｇ…緑色用表示板（緑色用液晶ライトバルブ表示板）、１５０２Ｂ…青色用表示板（青色用液晶ライトバルブ表示板）、１４０３…投射レンズ、１５０４…集光レンズ、１５０５…偏光板、１６Ｒ，１６Ｇ，１６Ｂ…エアー吹き出し口、２３…送風ファン、２３０３…回転羽根、２４０６…エアーフィルター、２５…エアーダクト装置、２５０１…エアー取り入れ口、２５０２…エアー取り入れダクト部、２５０３…エアー案内ダクト部、２５０４…エアー吹き出し口、２５０５…エアー吹き出しダクト部、２５０６…エアーダクト装置２５の正面、２５０７…エアーダクト装置２５の底面、２５０８…連結ダクト部、２５０９…連結ダクト部２５０８の傾斜面、３０…本発明の送風装置、３１…円弧状フィン、３２…板状フィン
【図１】
0003968478.tif 000002
【図２】
0003968478.tif 000003
【図３】
0003968478.tif 000004
【図４】
0003968478.tif 000005
【図５】
0003968478.tif 000006
【図６】
0003968478.tif 000007
【図７】
0003968478.tif 000008
【図８】
0003968478.tif 000009
【図９】
0003968478.tif 000010
【図１０】
0003968478.tif 000011
【図１１】
0003968478.tif 000012